(57)【要約】【課題】蟹を安定性よく体裁よく保持して包装でき、フィルム包装や袋包装が容易で、綺麗に包装できて外観的な見栄えがよく、複数の蟹を箱詰め梱包するのにも、また蟹を店頭陳列する場合にも好適な蟹包装用トレーを提供する。【解決手段】合成樹脂シートから外周に周側壁３を有するトレー状に一体に成形し、蟹の胴体部を収納する中央部１１と、折り畳んだ左右の足部を収納する両側部１２，１２との全体を、左右の足部を折り畳んだ状態の蟹の外形に対応した平面形状にして、左右の足部を折り畳んだ状態で安定性よく且つ体裁よく収納し保持して包装できるようにする。【選択図】図２
0003137380.tif 000002
【実用新案登録請求の範囲】
【請求項１】
蟹を包装するための蟹包装用トレーであって、合成樹脂シートから外周に周側壁を有するトレー状に一体に成形され、蟹の胴体部を収納する中央部と、該中央部から左右に連続して折り畳んだ左右の足部を収納する両側部との全体が、左右の足部を折り畳んだ状態の蟹の外形に対応した平面形状をなしていることを特徴とする蟹包装用トレー。
【請求項２】
前記周側壁が、蟹の足部の大部分が隠れる程度の深さで外拡がりの傾斜をなしている請求項１に記載の蟹包装用トレー。
【請求項３】
前記蟹の胴体部を収納する中央部の平面視における上縁側が内方へ凹入せしめられており、該凹入部の縁部に形成された周側壁部分と、平面視における下縁側の縁部の周側壁部分との間に前記中央部に収納される蟹の胴体部を保持するように形成されてなる請求項２に記載の蟹包装用トレー。
【請求項４】
前記底部には、少なくとも蟹の胴体部を収納する中央部に複数の凸部が形成され、蟹の胴体部を前記凸部で受けるようにした請求項１〜３のいずれか１項に記載の蟹包装用トレー。
【請求項５】
前記蟹の左右の足部を収納する両側部が、側方端に向かって上向きに傾斜せしめられてなる請求項１〜４のいずれか１項に記載の蟹包装用トレー。
【請求項６】
前記両側部には、平面視における縦方向の中央部位に横方向に延びて胴体部を収納する中央部に連なる水平の凹部分が形成されてなる請求項５記載の蟹包装用トレー。
【請求項７】
高密度ポリエチレン系樹脂発泡体よりなる請求項１〜６のいずれか１項に記載の蟹包装用トレー。
【考案の詳細な説明】
【技術分野】
【０００１】
本考案は、蟹を保存、輸送、販売するための蟹包装用トレーに関するものである。
【背景技術】
【０００２】
従来より、ズワイガニ等の蟹類の保存、輸送、販売等のための包装においては、そのまま段ボール箱、発泡スチロール箱、木箱等により箱詰め梱包するのでは、輸送中の取り扱いにおいて脚等の折損が生じ、商品価値が低下するおそれがあるので、一杯（一匹）の蟹毎にストレッチフィルムやストレッチフィルム等のラップフィルムで包装することが行われている。
【０００３】
この蟹のフィルム包装の作業を容易にするために、ボイルした蟹をゴム輪で結束して冷凍した後、蟹の外形に略相等する耐水性のある台紙を蟹の下に入れるか、或いは台紙で蟹を上下から挟んだ状態にして、これをシュリンク包装することが提案されている（例えば、特許文献１）。
【０００４】
また、シュリンク包装等を不要にするものとして、発泡合成樹脂製の容器本体と蓋とからなる箱形の容器で、蓋及び／又は容器本体に設けた凸部により、蟹の胴体部を前記凸部により上下から押圧し挟んで保持するようにした容器が提案されている（例えば、特許文献２）。
【特許文献１】実開昭５８−１４３７０号公報
【特許文献１】登録実用新案第３０２１７９６号公報
【考案の開示】
【考案が解決しようとする課題】
【０００５】
しかしながら、前記の台紙を使用する場合、包装時に蟹をゴム輪で結束することが必要になる上、台紙に合わせて蟹を置いたり、台紙で蟹を上下から挟んだりするのに手間がかかり、台紙と蟹の位置関係を安定させるのが難しいものである。仮に、台紙上から蟹の一部がはみ出すと包装が難しく、はみ出した部分が折損するおそれがある。また、蟹の上下に台紙を入れて挟んで包装すると蟹が見え難くなり、店頭陳列に不向きである。さらに蟹から出るドリップ（液汁）が台紙の裏に回り込んで見栄えが悪くなったり、台紙がドリップを吸収することで台紙の強度が低下するといった問題もある。
【０００６】
また、箱形の容器の場合は、蟹の胴体部は容器の中で安定して保持され、容易に動くことがないものの、足や親爪が容器内で動いて折損する虞があるので、矢張り足部を結束する必要がある。しかも、蓋をした状態では中の蟹を見ることができないため、店頭陳列時には蓋を開くことになるが、そうした場合に収納されている蟹が不安定になる。その上、箱形の容器のために嵩ばり、複数の蟹を箱詰め梱包するのには適さないものである。
【０００７】
本考案は、上記の問題を解決するためになしたものであり、蟹を損傷のおそれなく安定性よく保持して包装でき、シュリンクフィルムやストレッチフィルム等のラップフィルムによる包装（シュリンク包装やストレッチ包装等）、あるいは透明フィルム製の袋により包装するのにも手間がかからず、容易に且つ綺麗に包装できて外観的な見栄えがよく、複数の蟹を箱詰め梱包するのにも、また蟹を店頭陳列する場合にも好適な蟹包装用トレーを提供するものである。
【課題を解決するための手段】
【０００８】
上記の課題の解決する本考案は、蟹を包装するための蟹包装用トレーであって、合成樹脂シートから外周に周側壁を有するトレー状に一体に成形され、蟹の胴体部を収納する中央部と、該中央部から左右に連続して折り畳んだ左右の足部を収納する両側部との全体が、左右の足部を折り畳んだ状態の蟹の外形に対応した平面形状をなしていることを特徴とする。これにより、蟹の胴体部をトレーの中央部に置くようにして収納するだけで、左右の足部を折り畳んだ状態にしてトレー両側部に容易に安定性よく且つ体裁よく収納して包装できる。
【０００９】
前記蟹包装用トレーにおいて、前記周側壁が、蟹の足部の大部分が隠れる程度の深さで外拡がりの傾斜をなしているものがよく、これにより、前記蟹をトレー内に容易に収納でき、体裁よく保持して包装できる。
【００１０】
前記の蟹包装用トレーは、前記蟹の胴体部を収納する中央部の平面視における上縁側が内方へ凹入せしめられており、該凹入部の縁部に形成された周側壁部分と、平面視における下縁側の縁部の周側壁部分との間で前記中央部に収納される蟹の胴体部を保持するように形成されてなるものが好ましい。これにより、蟹の胴体部の甲羅と足部の親爪の位置が決まり易く、容易に外観的に体裁よく収納できる上、トレー内で蟹が安定し、蟹の損傷、特には親爪の損傷が効果的に防止される。
【００１１】
前記の蟹包装用トレーの底部には、少なくとも蟹の胴体部を収納する中央部に複数の凸部が形成され、蟹の胴体部を前記凸部で受けるようにしたものが好ましい。これにより、蟹から出るドリップが前記凸部以外の凹所に溜まることで、蟹の胴体部とドリップとの常時接触を防止でき、蟹の品質を良好に保持できる。
【００１２】
また、前記の蟹包装用トレーにおいて、前記蟹の左右の足部を収納する両側部が、側方端に向かって上向きに傾斜せしめられてなるものがよく、これにより、折り畳んだ状態で両側部に収納された足部の見栄えがよくなる上、ドリップが両側部の底に溜まり難くなり、足部とドリップとの常時接触を防止できることにもなる。
【００１３】
さらに、前記両側部には、平面視における縦方向の中央部位に横方向に延びて胴体部を収納する中央部に連なる水平の凹部分が形成されてなる場合は、該凹部分でトレーを水平に安定性よく置くことができ、蟹の収納作業がよくなる上、店頭陳列する場合の安定性及び体裁も良好になる。
【００１４】
前記の蟹包装用トレーは、高密度ポリエチレン系樹脂発泡体よりなるものが、緩衝性があって包装した蟹の保護を良好になす上、低温脆性が良好で包装状態での冷凍にも充分に耐えることになる。
【考案の効果】
【００１５】
本考案の蟹包装トレーによれば、トレー状の平面形状が左右の足部を折り畳んだ状態の蟹の外形に対応しているので、左右の足部を折り畳んだ状態の蟹を容易に安定性よく且つ体裁よく収納し保持できる。またそのため、シュリンクフィルムやストレッチフィルム等のラップフィルムによる包装、あるいは透明フィルム製の袋による包装等の包装作業も容易になる上、ゴム輪で結束していなくても、左右の足部の折り畳み状態の安定性がよく、外観的体裁のよい包装状態を得ることができる。
【００１６】
また、前記のようにラップフィルム等により包装した状態では、前記のように安定性よく保持できて損傷のおそれがなく、その保護を良好になし、嵩張ることもないため、複数の蟹を箱詰め梱包して出荷、輸送するのも容易になる。また、フィルムを通して内容物の蟹を見ることができるため、店頭陳列販売にも好適に利用できる。しかも、左右の足部を体裁のよい折り畳み状態に保持できるため外観的な見栄えがよく、高級感を呈するものになる。
【００１７】
さらに、トレーの底部に蟹の少なくとも胴体部を受ける凸部が形成されている場合は、蟹から出るドリップが凸部以外に底面の凹所に溜まることになり、胴体部等がドリップに常時接触するのを避けることができる。
【考案を実施するための最良の形態】
【００１８】
次に本考案の実施の形態を図面に示す実施例に基づいて説明する。
【００１９】
図１は本考案の蟹包装用トレーの第１の実施例を示す斜視図、図２は同上の平面図、図３及び図４は図２のIII−III線、及びIV−IV線の断面図、図５は使用状態の斜視図である。
【００２０】
この第１の実施例の蟹包装用トレー１は、図１〜図４に示すように、熱可塑性の合成樹脂シートから、底部２の外周縁より延びる周側壁３を有する比較的浅底のトレー状に一体に成形されており、蟹Ａの胴体部ａ１を収納する中央部１１と、該中央部１１から左右に連続して折り畳んだ左右の足部ａ２，ａ２を収納する両側部１２，１２との全体が、左右の足部ａ２，ａ２を折り畳んだ状態の蟹Ａに対応して、該蟹Ａの平面視の外形に略沿う平面形状をなしている。前記左右の足部ａ２，ａ２は、左右で対をなす各複数本の足と各１本の親爪を含んでおり、包装対象の蟹が例えばズワイガニの場合は、左右で対をなす各４本の足ａ２１と各１本の親爪ａ２２とからなる。
【００２１】
図１〜図５の第１の実施例の場合は、包装対象のズワイガニ等の蟹Ａの左右の足部ａ２，ａ２を内側に折り畳んだ状態では、甲羅を含む胴体部ａ１よりも、前記親爪ａ２２を含む左右の足部ａ２，ａ２の付け根部近傍部分で平面視における縦方向の幅が大きく拡がることになるので、この蟹Ａの折り畳み状態の外形に対応して、前記蟹Ａの胴体部ａ１を収納する中央部１１の平面視における上縁側が内方へ凹入せしめられた平面形状をなしており、該凹入部４の縁部に形成された周側壁３の部分と、平面視における下縁側の縁部の周側壁３の部分とにより前記中央部１１に収納される蟹Ａの胴体部ａ１を保持でき、且つ前記左右の親爪ａ２２を前記凹入部４の左右両側の凸部分に位置決めして収納できるように形成されている。
【００２２】
前記周側壁３は、収納対象の蟹Ａの足部ａ２，ａ２の大部分が隠れる程度の深さであるのが、蟹の包装状態での安定性や外観的な見栄えの点から特に好ましいが、もちろん前記より若干浅くすることも、また深くすることもできる。前記周側壁３は、底部２から垂直の立ち上がり形状をなすものであってもよいが、実施上は、図示するように外拡がりの傾斜をなしているのが、前記蟹Ａをトレー１内に容易に収納でき好ましい。
【００２３】
また、前記包装用トレー１の底部２には、複数の凸部５が形成され、蟹Ａの胴体部ａ１を前記凸部５で受けるようになっている。図１〜図５の場合は、胴体部ａ１を収納する中央部１１から左右の足部ａ２，ａ２を収納する両側部１２，１２に連続した横方向のリブ状に並設されている。この凸部５は、底部２の補強の役目を果たすとともに、蟹Ａから出るドリップが凸部以外の凹所に溜まることで、蟹Ａの胴体部ａ１や足部ａ２，ａ２がドリップに常時接触するのを避けることができるようになっている。
【００２４】
前記の凸部５としては、図のように、横方向に連続したリブ状をなすものには限らず、縦方向や横方向の断続状に形成したり、千鳥状や点在状の配置にして形成することもできる。さらに、前記凸部５を少なくとも蟹Ａの胴体部ａ１を収納する中央部１１のみに配置形成して、少なくとも胴体部ａ１を受けるように形成しておくこともできる。後述する第２の実施例はその１例を示している。
【００２５】
また、図示する実施例の場合、前記蟹Ａの左右の足部ａ２，ａ２を収納する両側部１２，１２が、側方端に向かって僅かに上向きに傾斜せしめられており、収納した蟹Ａから出るドリップが両側部１２，１２の底に溜まり難くなっている。これにより、蟹Ａから出るドリップが前記凸部５を有する中央部１１に溜まることで、足部ａ２，ａ２とドリップとの常時接触を防止できることになる。
【００２６】
さらに、前記両側部１２，１２には、平面視における縦方向（上下方向）の中央部位に横方向に延びて胴体部ａ１を収納する中央部１１に連なる溝状の凹部分６，６が形成されている。この凹部分６により、前記中央部１１を水平にして安定性よく置くことができるようになっている。
【００２７】
前記のトレー１を形成する素材の合成樹脂シートとしては、ポリプロピレンやポリエチレン等のポリオレフィン系樹脂、ポリエステル系樹脂、ポリスチレン系樹脂、ポリ塩化ビニル樹脂その他の適度の弾力性を有しかつ保形強度のある各種の合成樹脂発泡シート、あるいはこれらの合成樹脂発泡シートの片面もしくは両面に非発泡樹脂の表皮層を設けた合成樹脂発泡シートが好適に用いられる。中でも、低温脆性に優れる高密度ポリエチレン系樹脂の発泡シートが、蟹の冷凍保存等にも問題なく使用でき、好適に用いられる。もちろん、前記合成樹脂の非発泡樹脂シートも使用することができる。
【００２８】
前記の合成樹脂発泡シートの厚みは、使用素材によっても異なるが、高密度ポリエチレン系樹脂の発泡シートの場合、０．５〜５．０ｍｍ程度であり、密度が０．１〜０．５ｇ／ｃｍ３程度に発泡しているものが好ましい。 
上記の蟹包装用トレー１は、包装対象の蟹Ａを、左右の足部ａ２，ａ２を折り畳んだ状態で胴体部ａ１をトレー１の中央部１１に置くようにして収納するだけで、折り畳んだ左右の足部ａ２，ａ２をトレー１の両側部１２，１２に容易に安定性よく綺麗に収納して保持できる。特に、前記中央部１１の上縁側が内方へ凹入せしめられていることで、蟹Ａの胴体部ａ１が中央部１１に、また左右の足部ａ２，ａ２の親爪ａ２２が前記凹入部４から続く凸状部に収まることで位置決めされ、容易に外観的に体裁よく収納でき、ゴム輪で結束していなくても、足部ａ２，ａ２がトレー１から容易にはみ出したりすることがなく、安定した収納状態に保持できる。そのため、前記の収納状態で全体をシュリンクフィルムやストレッチフィルム等のラップフィルムＦによる包装作業、あるいはフィルム製袋による包装作業を容易に行うことができる。
【００２９】
しかも、前記の包装状態においては、左右の足部を折り畳み状態に安定性よく保持できるため、輸送中においても足や爪が妄りに動いたりすることがなく、足部折損等の蟹の損傷のおそれがなく、その保護を良好になし、また嵩張ることもないため、複数の蟹を箱詰め梱包して出荷、輸送するのも容易になる。また、外観的に見栄えのよい包装状態を保持できるので、図５のように、フィルムＦを通して内容物の蟹Ａを見ることもあって、店頭陳列販売に好適に利用できるものとなる。
【００３０】
図６は本考案の蟹包装用トレーの第２の実施例を示す斜視図、図７は同上の平面図、図８及び図９は図７のVIII−VIII線及びIX−IX線の断面図、図１０は使用状態の斜視図である。
【００３１】
この第２の実施例は、基本的に上記した第１の実施例と同様の構成をなしており、同構成部分については同符号を付して詳しい説明を省略する。
【００３２】
この第２の実施例の蟹包装用トレー１においても、第１の実施例と同様に、熱可塑性の合成樹脂シートから、底部２の外周縁に周側壁３より延設された比較的浅底のトレー状に形成されており、蟹Ａの胴体部ａ１を収納する中央部１１と、該中央部１１から左右に連続して折り畳んだ左右の足部ａ２，ａ２を収納する両側部１２，１２との全体が、左右の足部ａ２，ａ２を折り畳んだ状態の蟹Ａに対応して、該蟹Ａの平面視の外形に略沿う平面形状をなしている。そして、前記周側壁３は、蟹Ａの足部ａ２，ａ２の大部分が隠れる程度の深さで外拡がりの傾斜をなしている。ただし、前記中央部１１の平面視における上縁側には内方への凹入部が形成されておらず、下縁側と平行をなす平面形状をなしている。
【００３３】
さらに、前記トレー１の底部２には、胴体部ａ１を収納する中央部１１のみに、リブ状の凸部５が千鳥状に配置され、該凸部５により蟹の胴体部ａ１を受けるように形成されている。この第２の実施例においても、第１の実施例と同様に蟹Ａの足部ａ２，ａ２を収納する両側部１２，１２にも前記凸部５を形成しておくことができる。
【００３４】
また、前記蟹Ａの左右の足部ａ２，ａ２を収納する両側部１２，１２が、側方端に向かって僅かに上向きに傾斜せしめられ、さらに、前記両側部１２，１２には、平面視における縦方向（上下方向）の中央部位に横方向に延びて胴体部ａ１を収納する中央部１１に連なる溝状の凹部分６，６が形成されている。
【００３５】
この第２の実施例の蟹包装用トレー１においても、包装対象の蟹Ａを、左右の足部ａ２，ａ２を折り畳んだ状態で胴体部ａ１をトレー１の中央部１１に置くようにして収納するだけで、折り畳んだ左右の足部ａ２，ａ２をトレー１の両側部１２，１２に容易に安定性よく綺麗に収納して保持できる。そのため、ゴム輪で結束していなくても、足部ａ２，ａ２がトレー１から容易にはみ出したりすることがなく、安定した収納状態に保持でき、全体をシュリンクフィルムやストレッチフィルム等のラップフィルムＦによる包装作業、あるいはフィルム製袋による包装作業を容易に行うことができる。
【００３６】
しかも、前記の包装状態においては、左右の足部を折り畳み状態に安定性よく保持できるため、輸送中においても足や爪が妄りに動いたりすることがなく、その保護を良好になすとともに、外観的に見栄えのよい包装状態を保持でき、店頭陳列販売に好適に利用できるものとなる。
【産業上の利用可能性】
【００３７】
本考案の蟹包装用トレーは、ズワイガニ等の各種の蟹を保存、輸送、販売するため蟹包装用トレーとして、特には複数の蟹を箱摘め梱包して出荷、輸送、保存する場合のトレーとして、また店頭陳列販売用のトレーとして好適に使用できる。
【図面の簡単な説明】
【００３８】
【図１】本考案の蟹包装用トレーの第１の実施例を示す斜視図である。
【図２】同上の平面図である。
【図３】図２のIII−III線の断面図である。
【図４】図２のIV−IV線の断面図である。
【図５】同上トレーの使用状態の斜視図である。
【図６】本考案の蟹包装用トレーの第２の実施例を示す斜視図である。
【図７】同上の平面図である。
【図８】図７のVIII−VIII線の断面図である。
【図９】図２のIX−IX線の断面図である。
【図１０】同上トレーの使用状態の斜視図である。
【符号の説明】
【００３９】
Ａ…蟹、ａ１…胴体部、ａ２…足部、ａ２１…足、ａ２２…親爪、Ｆ…ラップフィルム、１…蟹包装用トレー、２…底部、３…周側壁、４…凹入部、５…凸部、６…凹部分、１１…中央部、１２…両側部。
【図１】
0003137380.tif 000003
【図２】
0003137380.tif 000004
【図３】
0003137380.tif 000005
【図４】
0003137380.tif 000006
【図５】
0003137380.tif 000007
【図６】
0003137380.tif 000008
【図７】
0003137380.tif 000009
【図８】
0003137380.tif 000010
【図９】
0003137380.tif 000011
【図１０】
0003137380.tif 000012